(57)【要約】【課題】内燃機関の冷却用ラジエータ１において，そのアッパタンク３内に，上下二室７，８に区成する仕切り板６を位置固定して設ける場合に，その位置固定に要する手数の低減と気密性の確保を図る。【解決手段】前記アッパタンク３内における前記仕切り板６を，前記アッパタンク３を前記ラジエータ１におけるアッパプレート２に取付けるときに，前記アッパプレート２と，前記アッパタンク３のうち上室７内に設けた支持手段１３とで挟んで位置固定する。【選択図】図１
2011202571.tif 000002
【特許請求の範囲】
【請求項１】
冷却用コアにおけるアッパプレートの上面に，アッパタンクを，その間に挟んだシール用ガスケットを圧縮するようにして取付け，このアッパタンクの内部に，内燃機関からの冷却液流入口が連通する上室と前記冷却用コアに連通する下室との上下二室に区成する仕切り板を設けて成るラジエータにおいて，
前記アッパタンク内における前記仕切り板は，前記アッパタンクを前記アッパプレートに取付けたときに，前記アッパプレートと，前記アッパタンクのうち上室内に設けた支持手段とで挟まれて位置固定されていることを特徴とする内燃機関における冷却用ラジエータの構造。
【請求項２】
前記請求項１の記載において，前記支持手段は，前記アッパタンクの上室における内側面に，上下方向に延びるように一体に設けた板状リブの形態であることを特徴とする内燃機関における冷却用ラジエータの構造。
【発明の詳細な説明】
【技術分野】
【０００１】
本発明は，内燃機関において，その冷却液を空冷するために使用されるラジエータの構造に関するものである。
【背景技術】
【０００２】
従来，完全密閉式冷却システムによる内燃機関に使用されるラジエータには，そのアッパタンクにリザーブタンクを接続し，このリザーブタンクに調圧弁内蔵のラジエータキャップを設けることにより，冷却液からの空気抜き，冷却液の補充等を行なうという構成であった（特許文献１，２参照）が，この従来の構成によると，耐圧性を有するリザーブタンクを必要とすることに加えて，このリザーブタンクとラジエータ及び循環経路との相互間を接続する配管又はホースを必要とすることに加え，支持ブラケットを必要とするから，部品点数が多く，取付けスペースの増大，重量及び価格のアップを招来するのであった。
【０００３】
そこで，本発明者達は，特許文献３に示す先の特許出願において，
「冷却用コアにおけるアッパプレートの上面に，アッパタンクを，その間に挟んだシール用ガスケットを圧縮するようにして取付け，このアッパタンクの内部に，当該内部を密閉した上室と前記冷却用コアに連通する下室との上下二室に区成する仕切り板を設け，上室に，調圧弁付きラジエータキャップと内燃機関からの冷却液流入口とを設ける一方，前記仕切り板に，前記上室及び下室の相互間を連通する通孔を設け成るラジエータ。」
を提案した。
【０００４】
この先の特許出願の発明のラジエータによると，アッパタンクにおける上室が，前記従来におけるリザーブタンクと同じ作用，つまり，冷却液からの空気抜き及び冷却液の補充等を行なうから，前記従来におけるリザーブタンクを省略することができ，部品点数が少なくなり，取付けスペースの縮小，重量及び価格の低減を達成することができる。
【先行技術文献】
【特許文献】
【０００５】
【特許文献１】特開平１１−０９３６６８号公報
【特許文献２】特開２００４−２５７７１７号公報
【特許文献３】特願２０１０−０１８２２５号明細書
【発明の概要】
【発明が解決しようとする課題】
【０００６】
しかし，その反面，前記先願発明のラジエータは，前記アッパタンクの内部に設ける仕切り板を，前記アッパタンク内における所定位置に固定する場合に，前記仕切り板の周囲に，下向きに延びる周縁板を一体に設けて，この周縁板を，前記アッパタンクの内周面と前記冷却用コアにおけるアッパプレートとで左右の横方向から挟み付けるという構成にしていた。
【０００７】
このために，前記仕切り板における周縁板を，アッパタンクの内周面と前記冷却用コアにおけるアッパプレートとで左右の横方向から挟み付けるように構成することに要する加工工程が複雑になるから，生産性が低いばかりか，前記アッパタンクとアッパプレートとの間における気密性が低いという問題がある。
【０００８】
これに加えて，前記アッパプレートとの間におけるシール用ガスケットを，前記アッパタンクの下面と，仕切り板における周縁板の下面との両方に接触するように幅広にしなければならなず，ガスケットの材料費が嵩むことになるから，前記生産性が低いことと相俟って，ラジエータ全体としての製造コストが大幅にアップするという問題を招来するのであった。
【０００９】
本発明は，ラジエータにおけるアッパタンクの内部に，当該内部を上下二室に区成する仕切り板を設ける場合において，前記した問題を招来しないようにすることを技術的課題とする。
【課題を解決するための手段】
【００１０】
この技術的課題を達成するため請求項１は，
「冷却用コアにおけるアッパプレートの上面に，アッパタンクを，その間に挟んだシール用ガスケットを圧縮するようにして取付け，このアッパタンクの内部に，内燃機関からの冷却液流入口が連通する上室と前記冷却用コアに連通する下室との上下二室に区成する仕切り板を設けて成るラジエータにおいて，
前記アッパタンク内における前記仕切り板は，前記アッパタンクを前記アッパプレートに取付けたときに，前記アッパプレートと，前記アッパタンクのうち上室内に設けた支持手段とで挟まれて位置固定されている。」
ことを特徴としている。
【００１１】
また，請求項２は，
「前記請求項１の記載において，前記支持手段は，前記アッパタンクの上室における内側面に，上下方向に延びるように一体に設けた板状リブの形態である。」
ことを特徴としている。
【発明の効果】
【００１２】
請求項１によると，アッパタンク内における仕切り板は，前記アッパタンクが取付けられるアッパプレートと，前記アッパタンクのうち上室内に設けた支持手段とで，上下方向から挟まれて位置固定されていることにより，その位置固定に要する加工工程が，先願発明のように，前記仕切り板に設けた下向きの周縁板をアッパタンクの内周面と前記冷却用コアにおけるアッパプレートとで左右の横方向から挟むように構成する場合に比べて，大幅に簡単になって、生産性を向上できるばかりか，前記アッパタンクとアッパプレートとの間における気密性を向上できる。
【００１３】
しかも，前記した構成にあることにより，シール用ガスケットは，アッパタンクの下面にのみ接触するだけで良く幅狭にできるから，前記したように生産性を向上できることと相俟って，ラジエータ全体としての製造コストを低減できる。
【００１４】
また，請求項２によると，支持手段を，アッパタンクの内側面に上下方向に延びるように一体に設けた板状リブに構成したことにより，この板状リブにて，前記アッパタンクを補強することができるし，前記アッパタンクを合成樹脂製にする場合に，このアッパタンクに前記板状リブを一体に設けて成形できるから，部品点数及び組み立て手数を低減できる。
【図面の簡単な説明】
【００１５】
【図１】ラジエータにおける上端部分の縦断正面図である。
【図２】図１のII−II視拡大断面図である。
【図３】図２のIII −III 視断面図である。
【図４】図１〜図３の要部拡大図である。
【図５】図４の分解図である。
【発明を実施するための形態】
【００１６】
以下，本発明の実施の形態を，図１〜図５の図面について説明する。
【００１７】
これらの図において，符号１は，内燃機関（図示せず）に対する冷却用のラジエータを示し，このラジエータ１は，従来から良く知られているように，空冷式であり，冷却用コア２と，この冷却用コア２の上部におけるアッパタンク３と，前記冷却用コア２の下部におけるロアタンク（図示せず）とによって構成されている。
【００１８】
前記アッパタンク３は，中が見える透明又は半透明の合成樹脂にて下面のみを開放した下向き箱型に構成されており，前記冷却用コア２の上端に固着されている金属板製のアッパプレート４の上面に，ゴム等の軟質弾性材によるシール用ガスケット５を挟んで載せられている。
【００１９】
更に，前記アッパタンク３は，前記アッパプレート４の周縁片４ａ′を前記アッパタンク３の外周に一体に設けたフランジ部３ａに対して巻き付けるようにかしめ付けることにより，前記アッパプレート４に，前記ガスケット５を圧縮しながら取付けられている。
【００２０】
すなわち，前記アッパプレート４の外周に溝部４ａを設け，この溝部４ａ内に，前記アッパタンク３におけるフランジ部３ａ及び前記ガスケット５を嵌めることによって位置決めして，この状態で，前記溝部４ａの上端における前記周縁片４ａ′を，前記フランジ部３ａの上側にかしめ付けるという構成にしている。
【００２１】
この場合，前記周縁片４ａ′は，前記かしめ付ける以前の状態において，前記溝部４ａ内へのフランジ部３ａ及びガスケット５の嵌め込みを容易にすることのために，外向きに傾斜するように開いた構成になっている。
【００２２】
そして，このアッパタンク３のアッパプレート４への取付けに際しては，前記かしめ付ける方法に代えて，その間を複数本のボルト又はねじにて前記ガスケット５を圧縮しながら締結するというように他の手段を採用することができることはいうまでもない。
【００２３】
前記アッパタンク３内には，合成樹脂にて下向きコ字状断面に構成した仕切り板６を，その下面から適宜高さの位置に挿入することにより，前記アッパタンク３の内部を，この仕切り板６にて，当該仕切り板６より上側の上室７と，当該仕切り板６より下側の下室８とに区成して，前記上室７に，図２及び図３に示すように，ラジエータキャップ９を設けるとともに，前記内燃機関からの冷却液流入口１０を設ける一方，前記下室８を，前記冷却用コア２内に連通するように構成している。
【００２４】
なお，前記ラジエータキャップ９には，例えば前記特許文献１，２等に記載されているのと同様に，調圧弁１１を内蔵している。
【００２５】
この調圧弁１１は，従来から良く知られているように，加圧弁と負圧弁とで構成されており，内部の圧力が高くなると内部の空気又は冷却液を開口１１ａから大気中に逃がす一方，内部の圧力が低くなると大気空気を開口１１ａから吸い込むことにより，内部を所定の圧力に維持するという構成になっている。
【００２６】
なお，前記調圧弁１１における開口１１ａには，大気に開放するためのホース１１ｂが接続されている。
【００２７】
前記仕切り板６には，ラジエータ１における広い横幅方向の中央の部分，又はこれに近い部分に，前記上室７と下室８の相互間を連通する通孔１２が穿設されている。
【００２８】
また，前記上室７への冷却液流入口１０は，前記通孔１２の真上，又はこれに近い部位に位置している。つまり，前記冷却液流入口１０も，ラジエータ１における広い横幅方向の中央の部分，又はこれに近い部分に位置している。
【００２９】
そして，前記アッパタンク３の上室７における内側面には，上室７の天井面から下向きに延びる板状リブ１３が，複数箇所に一体に設けられており，この板状リブ１３の下端に，前記仕切り板６における上面が接当することによって支持されており，更に，前記仕切り板６は，前記アッパタンク３を前記アッパプレート４に対してその間のガスケット５を圧縮しながら取付けるときに，前記板状リブ１３に対して押し付けるものであり，これにより，前記仕切り板６を，前記アッパプレート４と前記アッパタンク３のうち上室７内に設けた板状リブ１３とで上下方向から挟み付けて，所定の高さ位置に位置固定するように構成している。
【００３０】
この構成において，内燃機関からラジエータ１に排出される冷却液は，ラジエータ１のアッパタンク３における上室７内に冷却液流入口１０より入り，この上室７内から仕切り板６における通孔１２を通って下室８内に入り，そして，この下室８からラジエータ１における冷却用コア２に入る経路をとる。
【００３１】
これにより，前記冷却液は，アッパタンク３における上室７内に入ったときに，この冷却液中の空気気泡が浮上して分離するというように気液分離され，そして，前記仕切り板６における通孔１２から下室８に流入することにより，前記上室７における空気が，前記ラジエータ１の傾き等に起因して下室８内に混入することを，前記仕切り板６にて確実に低減できる。
【００３２】
前記アッパタンク３における上室７は，これに調圧弁１１を備えたラジエータキャップ９が設けられていることにより，前記従来におけるリザーブタンクと同じ作用，つまり，冷却液からの空気抜き，冷却液の膨張・収縮の吸収及び冷却液の補充等を行なう。
【００３３】
前記アッパタンク３における上室７への冷却液流入口１０は，前記通孔１２の真上の部分又はこれに近い部分に位置していることにより，前記冷却液流入口１０から上室７内に入る冷却液は，直ちに，前記仕切り板６における通孔１２から下室８内に流れ込むことになるから，前記下室８内への冷却液の流れ込みを，前記ラジエータ１が車両の傾斜等により傾いた場合においても確実に確保できる。
【００３４】
また，前記仕切り板６における通孔１２は，前記ラジエータ１における広い横幅方向の中央の部分又はこれに近い部分に位置していることにより，前記上室７内における液面が，車両の旋回とか車両の傾斜等に起因して，図１において左右に傾いた場合において，前記仕切り板６における通孔１２が前記傾いた液面に露出することを回避できるから，前記通孔１２から下室８内に空気が入ることを確実に阻止できる。
【００３５】
そして，前記アッパタンク３内における仕切り板６は，前記アッパタンク３が取付けられるアッパプレート４と，前記アッパタンク３のうち上室７内に設けた板状リブ１３とで，上下方向から挟まれて所定位置に固定されている。
【００３６】
これにより，その位置固定に要する加工工程が，先願発明のように，前記仕切り板に設けた下向きの周縁板をアッパタンクの内周面と前記冷却用コアにおけるアッパプレートとで左右の横方向から挟むように構成する場合に比べて，大幅に簡単になって、生産性を向上できるばかりか，前記アッパタンク３とアッパプレート４との間における気密性を向上できるし，その間におけるシール用ガスケット５の幅寸法を狭くすることができる。
【００３７】
なお，前記図示の実施の形態では，前記仕切り板６の上面側をアッパタンク３に対して支持する支持手段を，前記アッパタンク３の内側面に一体に設けた板状リブ１３に構成した場合であった。
【００３８】
前記支持手段としては，前記板状リブ１３に構成することに限らず，例えば，アッパタンク３内の天井面と仕切り板６との間に設けた支持部材に構成するとか，或いは，仕切り板６をアッパタンク３内に設けた段部にて支持するというように，その他の構成にすることができるが，前記実施の形態のように，支持手段を，前記アッパタンク３の内側面に一体に設けた板状リブ１３に構成した場合には，この板状リブ１３にて，前記アッパタンク３を補強することができるし，前記アッパタンク３を合成樹脂製にする場合に，このアッパタンク３に前記板状リブ１３を一体に設けて成形できる。しかも，前記上室７内における液面の動揺及び波立ちを，前記板状リブ１３にて小さくするように抑制できる。
【符号の説明】
【００３９】
１                    ラジエータ
２                    ラジエータにおける冷却用コア
３                    ラジエータにおけるアッパタンク
３                    アッパタンクにおけるフランジ部
４                    ラジエータにおけるアッパプレート
４ａ                  アッパプレートにおける溝部
５                    シール用ガスケット
６                    仕切り板
７                    上室
８                    下室
９                    ラジエータキャップ
１０                  冷却液流入口
１１                  調圧弁
１２                  通孔
１３                  板状リブ（支持手段）
【図１】
2011202571.tif 000003
【図２】
2011202571.tif 000004
【図３】
2011202571.tif 000005
【図４】
2011202571.tif 000006
【図５】
2011202571.tif 000007